【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
供給電圧で電力を提供する電源に接続する入力端子と、
負荷に接続して、調整された電圧で上記負荷に電力を提供する出力端子と、
それぞれの第１の電極及び第２の電極を備えた第１のキャパシタと、
それぞれの第１の電極及び第２の電極を備えた第２のキャパシタと、
それぞれの調整された充電電流を、上記入力端子から上記複数のキャパシタのそれぞれに提供するように設けられた調整手段と、
上記第１のキャパシタの第１の電極を上記それぞれの調整された充電電流を受け取り又は上記出力端子に選択的に接続し、上記第１のキャパシタの第２の電極を上記出力端子又はグランドに選択的に接続し、上記第２のキャパシタの第１の電極を上記それぞれの調整された充電電流を受け取り又は上記出力端子に選択的に接続し、及び上記第２のキャパシタの第２の電極を上記出力端子又はグランドに選択的に接続するように動作可能なスイッチング手段と、
上記第１のキャパシタの第１の電極は、上記それぞれの調整された充電電流を受け取るように接続され、上記第１のキャパシタの第２の電極及び上記第２のキャパシタの第１の電極は、それぞれ上記出力端子に接続され、かつ上記第２のキャパシタの第２の電極は、グランドに接続される第１の構成と、上記第２のキャパシタの第１の電極は、上記それぞれの調整された充電電流を受け取るように接続され、上記第２のキャパシタの第２の電極及び上記第１のキャパシタの第１の電極は、それぞれ上記出力端子に接続され、かつ上記第１のキャパシタの第２の電極は、グランドに接続される第２の構成とを繰り返すように上記スイッチング手段を制御するように設けられたスイッチ制御手段とを備え、
上記調整手段は、少なくとも１つのデバイスを備え、上記デバイスを介して上記複数のキャパシタの少なくとも１つへの上記それぞれの充電電流の少なくとも一部が供給され、
上記デバイスは、制御信号を用いて上記デバイスを介して電流フローを調整するように制御可能であり、
上記調整手段はさらに、上記出力端子に接続されかつ上記制御信号を上記デバイスに提供するように設けられた制御信号供給手段を備え、
上記制御信号は、上記デバイスを介する電流フローが上記出力端子の電圧にしたがって調整されるように、上記出力端子の上記電圧に依存する電圧レギュレータ。
【請求項２】
上記制御信号供給手段は、上記制御信号が周波数のしきい値よりも高い出力電圧の成分から実質的に独立するように設けられたローパスフィルタを備えた請求項１記載の電圧レギュレータ。
【請求項３】
上記制御信号供給手段は、
上記出力端子とグランドとの間に接続された分圧器と、
上記ローパスフィルタによって上記分圧器の出力に接続された反転入力を有するオペアンプと、
上記オペアンプの非反転入力とグランドとの間に接続された参照電圧源とを備えた請求項２記載の電圧レギュレータ。
【請求項４】
上記制御信号は、上記オペアンプの出力端子から提供される制御電圧である請求項３記載の電圧レギュレータ。
【請求項５】
上記入力端子とグランドとの間に接続された入力キャパシタと、
上記出力端子とグランドとの間に接続された出力キャパシタとをさらに備えた請求項１から４のうちのいずれか１つの請求項記載の電圧レギュレータ。
【請求項６】
上記調整手段の出力とグランドとの間に接続されたレギュレータキャパシタをさらに備えた請求項１から５のうちのいずれか１つの請求項記載の電圧レギュレータ。
【請求項７】
上記デバイスは、ＦＥＴであり、
上記制御信号は、上記ＦＥＴのゲートに提供される制御電圧である請求項１から６のうちのいずれか１つの請求項記載の電圧レギュレータ。
【請求項８】
上記調整手段は、単一の上記デバイスを備え、
上記単一のデバイスは、上記複数の充電電流を上記第１のキャパシタ及び第２のキャパシタに伝達するように設けられた請求項１から７のうちのいずれか１つの請求項記載の電圧レギュレータ。
【請求項９】
上記単一のデバイスは、上記入力端子に接続されたドレイン及び上記制御信号を受信するように接続されたゲートを有するＦＥＴであり、
上記スイッチング手段及びスイッチ制御手段は、上記第１の構成において、上記第１のキャパシタの第１の電極が上記ＦＥＴのソースに接続されるように設けられ、かつ上記第２の構成において、上記第２のキャパシタの第１の電極が上記ＦＥＴのソースに接続されるように設けられた請求項８記載の電圧レギュレータ。
【請求項１０】
上記調整手段は、第１の制御信号を用いて上記入力端子から上記第１のキャパシタへの充電電流の上記供給を調整するように制御可能な第１の上記デバイスと、第２の制御信号を用いて上記入力端子から上記第２のキャパシタへの充電電流の上記供給を調整するように制御可能な第２の上記デバイスとを備え、
上記制御信号供給手段は、上記第１の制御信号及び第２の制御信号をそれぞれ上記第１のデバイス及び第２のデバイスに提供するように設けられた請求項１から７のうちのいずれか１つの請求項記載の電圧レギュレータ。
【請求項１１】
上記第１のデバイスは、上記入力端子に接続されたドレイン、及び上記第１のキャパシタの第１の電極に接続されたソースを有する第１のＦＥＴであり、
上記第２のデバイスは、上記入力端子に接続されたドレイン、及び上記第２のキャパシタの第１の電極に接続されたソースを有する第２のＦＥＴである請求項１０記載の電圧レギュレータ。
【請求項１２】
上記スイッチ制御手段及び上記制御信号供給手段は、
上記第１の構成において、制御電圧が上記第１のＦＥＴの上記ゲートに印加されて、上記出力電圧に依存する調整された充電電流を上記第１のキャパシタに供給し、かつ上記第２のＦＥＴが導通していないように設けられ、かつ
上記第２の構成において、制御電圧が上記第２のＦＥＴの上記ゲートに印加されて、上記出力電圧に依存する調整された充電電流を上記第２のキャパシタに供給し、かつ上記第１のＦＥＴが導通していないように設けられる請求項１１記載の電圧レギュレータ。
【請求項１３】
複数の上記入力端子を備え、
それぞれの入力端子は、それぞれの供給電圧で電力を提供するそれぞれの電源に接続するように適合され、
上記調整手段は、それぞれの調整された充電電流を、上記複数の入力端子から上記複数のキャパシタのそれぞれに提供するように設けられ、
上記調整手段は、複数の上記デバイスを備え、
それぞれのデバイスは、上記複数の入力端子のうちのそれぞれの１つに対応し、充電電流を、上記それぞれの入力端子から上記第１のキャパシタ及び第２のキャパシタに伝達するように設けられ、
上記制御信号供給手段は、それぞれのデバイスを介する電流フローが上記出力端子の電圧にしたがって調整されるように、それぞれの上記制御信号をそれぞれの上記デバイスに提供するように設けられた請求項１から９のうちのいずれか１つの請求項記載の電圧レギュレータ。
【請求項１４】
請求項１から１２のうちのいずれか１つの請求項記載の電圧レギュレータを備えた低雑音ブロック（ＬＮＢ）。
【請求項１５】
受信機ボックスがケーブルを介して電力を上記ＬＮＢに提供することができるような上記受信機ボックスからの上記ケーブルを接続する接続手段をさらに備え、
上記電圧レギュレータの上記入力端子は、上記接続端子に接続される請求項１４記載のＬＮＢ。
【請求項１６】
上記接続手段と上記入力端子との間に接続されたフィルタネットワークをさらに備え、
上記フィルタネットワークは、互いに並列接続でインダクタンス、キャパシタンス、及び抵抗器を備えた請求項１５記載のＬＮＢ。
【請求項１７】
複数の接続手段をさらに備え、
それぞれの接続手段は、受信機ボックスがケーブルを介して電力を上記ＬＮＢに提供することができるように、上記それぞれの受信機ボックスからの上記それぞれのケーブルに接続するように適合され、
上記電圧レギュレータのそれぞれの入力端子は、上記複数の接続端子のうちのそれぞれの１つに接続される請求項１３記載の電圧レギュレータを備えたＬＮＢ。
【請求項１８】
上記ＬＮＢは、上記接続手段を介する複数の出力信号、及び上記受信機ボックス又はそれぞれの受信機ボックスへの上記ケーブル又はそれぞれのケーブルに適合された請求項１４から１７のうちのいずれか１つの請求項記載のＬＮＢ。
【請求項１９】
上記出力端子に接続され、調整された電圧で電力を受け取る少なくとも１つの増幅器をさらに備えた請求項１４から１８のうちのいずれか１つの請求項記載のＬＮＢ。
【請求項２０】
ＬＮＢと、
ケーブルによって上記ＬＮＢに接続され、かつ供給電圧で上記ケーブルを介して電力を上記ＬＮＢに供給するように設けられた受信機ボックスとを備え、
上記ＬＮＢは、請求項１から１３のうちのいずれか１つの請求項記載の電圧レギュレータを備え、
上記入力端子は、上記ケーブルに接続され、
上記電圧レギュレータは、調整された電圧で電力を提供するように動作する衛星信号受信システム。